(57)【特許請求の範囲】
【請求項１】
互いに異なる周波数を割当てられた複数のサブチャネルにより並列してデータ伝送を行う無線通信装置において、
前記各サブチャネルの信号が周波数合波されて送信された信号を受信するアンテナ部と、
前記受信された信号を復調する復調部と、
前記復調された信号を前記各サブチャネルの信号に周波数分波する周波数分波部と、
前記各サブチャネルに対応して設けられ、前記周波数分波された対応する各サブチャネルの信号に対して自動利得制御を行う自動利得制御部と、
前記各サブチャネルの信号を所定のレベルに増幅する可変利得増幅部と、
移動経路に沿って予め測定された各サブチャネルの信号の受信電力を表す予測パターンを記憶する電力変動記憶部と、
ある時刻において実際に測定される前記各サブチャネルの信号の受信電力を表わす変動パターンと、前記予測パターンとをパターンマッチングにより比較し、当該時刻において実際に測定される前記各サブチャネルの信号の受信電力の前記予測パターンにおけるどの部分に対応するかを特定し、前記予測パターンに基づいて次の時刻での前記各サブチャネルの信号の受信電力を予測する受信電力予測部と、
前記予測された各サブチャネルの信号の受信電力に基づいて前記各サブチャネルの信号を所定のレベルに増幅するための制御電圧を生成し、前記可変利得増幅部に供給する制御電圧生成部と、
を備えることを特徴とする、無線通信装置。
【請求項２】
移動経路が定められている移動局と基地局との間で無線通信を行う移動通信システムに適用されることを特徴とする、請求項１に記載の無線通信装置。
【請求項３】
前記予測パターンは、前記移動局の位置変化に対応する変動パターンであり、
前記受信電力予測部は、当該時刻において実際に測定される前記各サブチャネルの信号の受信電力の前記予測パターンにおける対応位置を特定する、請求項２に記載の無線通信装置。
【請求項４】
前記自動利得制御部は、
前記増幅された各サブチャネルの信号に基づいて前記各サブチャネルの信号を所定のレベルに制御するための制御電圧を生成し、前記可変利得増幅部に供給する制御電圧生成部と、
を備えることを特徴とする、請求項１または２に記載の無線通信装置。
【請求項５】
前記各サブチャネルに対応して設けられ、前記自動利得制御された対応する各サブチャネルの信号を前記各サブチャネルに割当てられた周波数で復調する復調部と、
前記各サブチャネルに対応して設けられ、前記各サブチャネルに割当てられた周波数で復調された対応する各サブチャネルの信号をベースバンド復調するベースバンド復調部と、
前記ベースバンド復調された各サブチャネルの信号をベースバンド信号に変換する並列直列変換部と、
をさらに備えることを特徴とする、請求項１〜４のいずれかに記載の無線通信装置。
【請求項６】
送信側となる無線通信装置から受信側となる無線通信装置に対して、互いに異なる周波数を割当てられた複数のサブチャネルにより並列してデータ伝送を行う無線通信システムにおいて、
前記受信側となる無線通信装置は、
前記各サブチャネルの信号が周波数合波されて前記送信側となる無線通信装置から送信された信号を受信するアンテナ部と、
前記受信された信号を復調する復調部と、
前記復調された信号を前記各サブチャネルの信号に周波数分波する周波数分波部と、
前記各サブチャネルに対応して設けられ、前記周波数分波された対応する各サブチャネルの信号に対して自動利得制御を行う自動利得制御部と、
前記各サブチャネルの信号を所定のレベルに増幅する可変利得増幅部と、
移動経路に沿って予め測定された各サブチャネルの信号の受信電力を表す予測パターンを記憶する電力変動記憶部と、
ある時刻において実際に測定される前記各サブチャネルの信号の受信電力を表わす変動パターンと、前記予測パターンとをパターンマッチングにより比較し、当該時刻において実際に測定される前記各サブチャネルの信号の受信電力の前記予測パターンにおけるどの部分に対応するかを特定し、前記予測パターンに基づいて次の時刻での前記各サブチャネルの信号の受信電力を予測する受信電力予測部と、
前記予測された各サブチャネルの信号の受信電力に基づいて前記各サブチャネルの信号を所定のレベルに増幅するための制御電圧を生成し、前記可変利得増幅部に供給する制御電圧生成部と、
を備えることを特徴とする、無線通信システム。
【請求項７】
送信側となる無線通信装置から受信側となる無線通信装置に対して、互いに異なる周波数を割当てられた複数のサブチャネルにより並列してデータ伝送を行う無線通信装置に適用される無線通信方法おいて、
前記受信側となる無線通信装置によって、前記各サブチャネルの信号が周波数合波されて前記送信側となる無線通信装置から送信された信号を受信し、前記受信した信号を復調し、前記復調した信号を前記各サブチャネルの信号に周波数分波し、前記周波数分波した各サブチャネルの信号に対して各々に自動利得制御を行い、移動経路に沿って予め測定された各サブチャネルの信号の受信電力を表す予測パターンが記憶されており、ある時刻において実際に測定される前記各サブチャネルの信号の受信電力を表わす変動パターンと、前記予測パターンとをパターンマッチングにより比較し、当該時刻において実際に測定される前記各サブチャネルの信号の受信電力の前記予測パターンにおけるどの部分に対応するかを特定し、前記予測パターンに基づいて次の時刻での前記各サブチャネルの信号の受信電力を予測し、前記予測された各サブチャネルの信号の受信電力に基づいて前記各サブチャネルの信号を所定のレベルに増幅するための制御電圧を生成し、前記制御電圧に基づいて前記各サブチャネルの信号を所定のレベルに増幅することを特徴とする、無線通信方法。
【発明の詳細な説明】
【技術分野】
【０００１】
本発明は、無線通信装置、無線通信システム、および無線通信方法に関する。
【背景技術】
【０００２】
無線通信システムにおいては、電波の伝搬路状況に応じて受信電力が変動するため、一般に受信側の通信装置で受信電力を調整するための自動利得制御装置が用いられる。特に、移動通信システムにおいては、移動局と基地局との位置関係に応じて通信特性が変動するために、自動利得制御による受信電力の調整が重要となる。
【０００３】
自動利得制御装置は、例えば、可変利得増幅部および制御電圧生成部からなる。自動利得制御装置では、可変利得増幅器により受信信号が所定のレベルに増幅され、受信回路に出力される。また、増幅された受信信号に基づいて受信信号を所定のレベルに利得制御するための制御電圧が制御電圧生成部により生成され、可変利得増幅部に供給される。ここで、制御電圧生成部は、利得制御された信号の受信電力と、所定のレベルとを一定の時間毎に比較して制御電圧を生成する。
【０００４】
【特許文献１】特開平９−６４６７２号公報
【特許文献２】特開平９−１３５１３６号公報
【特許文献３】特開平１０−３２４４３号公報
【発明の開示】
【発明が解決しようとする課題】
【０００５】
広帯域データ伝送においては、互いに異なる周波数を割当てられた複数のサブチャネルにより並列してデータ伝送を行うマルチチャネル伝送が利用される。マルチチャネル伝送において、従来の無線通信システムにおける受信側の通信装置は、各サブチャネルに対応する信号が周波数合波された送信信号を受信して復調し、全てのサブチャネルの信号を含む周波数合波された信号の受信電力に基づいて利得制御を行う。一方、互いに異なる周波数を割当てられた複数のサブチャネルでは、割当てられた周波数に応じてサブチャネル毎に電波の伝搬路状況が異なる。このため、特定のサブチャネルの信号に対しては利得制御が適切に行われても、他のサブチャネルの信号に対しては適切に行われない場合がある。これにより、マルチチャネル伝送におけるデータ伝送特性の劣化が生じてしまうという問題がある。
【０００６】
本発明は上記問題点に鑑みてなされたものであり、その目的は、マルチチャネル伝送を行う場合でも受信信号に対して利得制御を適切に行うことができる、新規かつ改良された、無線通信装置、無線通信システム、および無線通信方法を提供することにある。
【課題を解決するための手段】
【０００７】
上記課題を解決するために、本発明の第１の観点によれば、互いに異なる周波数を割当てられた複数のサブチャネルにより並列してデータ伝送を行う無線通信装置が提供される。本無線通信装置は、各サブチャネルの信号が周波数合波されて送信された信号を受信するアンテナ部と、受信された信号を復調する復調部と、復調された信号を各サブチャネルの信号に周波数分波する周波数分波部と、各サブチャネルに対応して設けられ、周波数分波された対応する各サブチャネルの信号に対して自動利得制御を行う自動利得制御部と、を備えることを特徴とする。
【０００８】
かかる構成によれば、各サブチャネルの信号が周波数合波された送信信号が受信されて復調され、各サブチャネルの信号に周波数分波された上で、各サブチャネルの信号に対して利得制御が行われる。これにより、サブチャネル毎に電波の伝搬路状況が異なる場合でも、各サブチャネルの信号に対して利得制御が行われるので、受信信号に対して適切に利得制御を行うことができる。
【０００９】
また、上記無線通信装置は、移動経路が定められている移動局と基地局との間で無線通信を行う移動通信システムに適用されてもよい。かかる構成によれば、移動局と基地局との位置関係に応じて通信特性が変動する場合でも、受信信号に対して適切に利得制御を行うことができる。
【００１０】
また、上記自動利得制御部は、各サブチャネルの信号を所定のレベルに増幅する可変利得増幅部と、移動経路に沿って予め測定された各サブチャネルの信号の受信電力を表す変動パターンを記憶する電力変動記憶部と、増幅された各サブチャネルの信号と変動パターンとを比較し、次の時刻での各サブチャネルの信号の受信電力を予測する受信電力予測部と、予測された各サブチャネルの信号の受信電力に基づいて各サブチャネルの信号を所定のレベルに増幅するための制御電圧を生成し、可変利得増幅部に供給する制御電圧生成部と、を備えてもよい。かかる構成によれば、各サブチャネルの信号の受信電力が予測され、予測された受信電力に基づいて各サブチャネルの信号を所定のレベルに増幅するための制御電圧が生成される。これにより、可変増幅器の利得が早い段階で決定可能となるので、各サブチャネルの信号に対して正確に利得制御を行うことができる。
【００１１】
また、上記各サブチャネルに対応して設けられ、自動利得制御された対応する各サブチャネルの信号を各サブチャネルに割当てられた周波数で復調する復調部と、各サブチャネルに対応して設けられ、各サブチャネルに割当てられた周波数で復調された対応する各サブチャネルの信号をベースバンド復調するベースバンド復調部と、ベースバンド復調された各サブチャネルの信号をベースバンド信号に変換する並列直列変換部と、をさらに備えてもよい。かかる構成によれば、適切に利得制御された受信信号がベースバンド信号に変換されるので、マルチチャネル伝送におけるデータ伝送特性の劣化を解消することができる。
【００１２】
上記課題を解決するために、本発明の第２の観点によれば、送信側となる無線通信装置から受信側となる無線通信装置に対して、互いに異なる周波数を割当てられた複数のサブチャネルにより並列してデータ伝送を行う無線通信システムが提供される。本無線通信システムにおいて、受信側となる無線通信装置は、各サブチャネルの信号が周波数合波されて送信側となる無線通信装置から送信された信号を受信するアンテナ部と、受信された信号を復調する復調部と、復調された信号を各サブチャネルの信号に周波数分波する周波数分波部と、各サブチャネルに対応して設けられ、周波数分波された対応する各サブチャネルの信号に対して自動利得制御を行う自動利得制御部と、を備える。
【００１３】
かかる構成によれば、受信側となる無線通信装置によって、各サブチャネルの信号が周波数合波された送信信号が送信側となる無線通信装置から受信されて復調され、各サブチャネルの信号に周波数分波された上で、各サブチャネルの信号に対して利得制御が行われる。これにより、サブチャネル毎に電波の伝搬路状況が異なる場合でも、各サブチャネルの信号に対して利得制御が行われるので、受信信号に対して適切に利得制御を行うことができる。
【００１４】
上記課題を解決するために、本発明の第３の観点によれば、送信側となる無線通信装置から受信側となる無線通信装置に対して、互いに異なる周波数を割当てられた複数のサブチャネルにより並列してデータ伝送を行う無線通信装置に適用される無線通信方法が提供される。本無線通信方法は、受信側となる無線通信装置によって、各サブチャネルの信号が周波数合波された送信信号を送信側となる無線通信装置から受信し、受信された信号を復調し、復調した信号を各サブチャネルの信号に周波数分波し、周波数分波した各サブチャネルの信号に対して各々に自動利得制御を行うことを特徴とする。
【００１５】
かかる方法によれば、受信側となる無線通信装置によって、各サブチャネルの信号が周波数合波された送信信号が送信側となる無線通信装置から受信されて復調され、各サブチャネルの信号に周波数分波された上で、各サブチャネルの信号に対して利得制御が行われる。これにより、サブチャネル毎に電波の伝搬路状況が異なる場合でも、各サブチャネルの信号に対して利得制御が行われるので、受信信号に対して適切に利得制御を行うことができる。
【発明の効果】
【００１６】
本発明によれば、マルチチャネル伝送を行う場合でも受信信号に対して利得制御を適切に行うことができる、無線通信装置、無線通信システム、および無線通信方法を提供することができる。
【発明を実施するための最良の形態】
【００１７】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１８】
以下では、まず、従来のマルチチャネル伝送用の無線通信装置における問題点について説明した上で、本発明の実施形態に係る無線通信装置について説明する。
【００１９】
図５は、自動利得制御部を適用した従来のマルチチャネル伝送用無線通信システムを示す機能構成図である。
【００２０】
図５に示すように、従来の無線通信システムは、送信側の通信装置に含まれる送信機１０および受信側の通信装置に含まれる受信機２０を含んで構成される。なお、図５には、互いに異なる４つの周波数ｆ１〜ｆ４を各々に割当てられたサブチャネルによりマルチチャネル伝送を行う無線通信システムが示されているが、サブチャネルの数は、かかる場合に限定されるものではない。
【００２１】
送信機１０は、直列／並列変換部１１、ベースバンド変調部１２ａ〜１２ｄ、直交変調部１３ａ〜１３ｄ、周波数合波部１４、無線周波数（ＲＦ：Radio Frequency）変調部１５、およびアンテナ部１６を含んで構成される。ここで、ベースバンド変調部１２ａ〜１２ｄおよび直交変調部１３ａ〜１３ｄは、サブチャネルに相当する数で、各サブチャネルに対応するように並列して設けられる。
【００２２】
直列／並列変換部１１は、上位層から供給されるベースバンド信号を各サブチャネルに対応するデータ列に変換し、ベースバンド変調部１２ａ〜１２ｄに出力する。ベースバンド変調部１２ａ〜１２ｄは、各サブチャネルに対応するデータ列に基づいてキャリアを変調し、直交変調部１３ａ〜１３ｄに出力する。直交変調部１３ａ〜１３ｄは、各サブチャネルに対応する変調された信号を各サブチャネルに割当てられた周波数ｆ１〜ｆ４で直交変調し、周波数合波部１４に出力する。周波数合波部１４は、各サブチャネルに対応する直交変調された信号を周波数合波し、ＲＦ変調部１５に出力する。ＲＦ変調部１５は、周波数合波された信号を変調してアンテナ部１６を介して受信側の通信装置に送信する。
【００２３】
受信機２０は、アンテナ部２１、無線周波数（ＲＦ）復調部２２、自動利得制御部（ＡＧＣ：Automatic Gain Controller）２４、周波数分波部２３、直交復調部２５ａ〜２５ｄ、ベースバンド復調部２６ａ〜２６ｄ、および並列／直列変換部２７を含んで構成される。ここで、直交復調部２５ａ〜２５ｄおよびベースバンド復調部２６ａ〜２６ｄは、サブチャネルに相当する数で、各サブチャネルに対応するように並列して設けられる。
【００２４】
ＲＦ復調部２２は、アンテナ部２１から入力され、各サブチャネルに対応する信号が周波数合波された送信信号を復調し、ＡＧＣ部２４に出力する。ＡＧＣ部２４は、受信された信号に対して利得制御を行い、周波数分波部２３に出力する。周波数分波部２３は、利得制御された信号を各サブチャネルに割当てられた周波数ｆ１〜ｆ４の信号に分波し、各サブチャネルに対応する直交復調部２５ａ〜２５ｄに出力する。直交復調部２５ａ〜２５ｄは、各サブチャネルに対応する分波された信号を直交復調し、ベースバンド復調部２６ａ〜２６ｄに出力する。ベースバンド復調部２６ａ〜２６ｄは、各サブチャネルに対応する信号をデータ列に復調し、並列／直列変換部２７に出力する。並列／直列変換部２７は、各サブチャネルに対応する復調されたデータ列をベースバンド信号に変換し、上位層に供給する。
【００２５】
受信機２０は、互いに異なる周波数ｆ１〜ｆ４を割当てられた複数のサブチャネルにより並列して伝送されたマルチチャネル信号を受信する。ここで、受信電力は、送信機１０から受信機２０に至る伝搬路上で生じる電波の干渉、フェージングなどの影響を受けるので、電波の伝搬路状況に応じて変動する。また、電波の干渉、フェージングなどの影響の程度は、電波の周波数に応じて、および通信装置が移動局である場合には、移動局の移動速度にも応じて変化する。このため、互いに異なる周波数ｆ１〜ｆ４を割当てられたサブチャネル毎に受信電力が異なるという状況が生じる。
【００２６】
図６は、この状況を説明するために、従来の無線通信装置による利得制御の結果を示す説明図である。なお、図６は、横軸に周波数（ｆ）が表され、縦軸に送信／受信電力（Ｐ）および伝搬路の周波数応答（ｒ）が表され、棒グラフ２により送信／受信電力、折れ線グラフ５により周波数応答が示されている。
【００２７】
図６（ａ）は、以下の説明で用いる前提条件として、送信されるマルチチャネル信号の送信電力および伝搬路の周波数応答を示している。図６（ａ）に示すように、送信機１０は、互いに異なる周波数ｆ１〜ｆ４を割当てられた各サブチャネルにより同一の送信電力Ｐ０で信号を送信する。一方、伝搬路の周波数応答は、電波の干渉、フェージングなどの影響が周波数に応じて異なるので、各サブチャネルに割当てられた周波数ｆ１〜ｆ４の信号毎に異なるものとなる。
【００２８】
図６（ｂ）は、図６（ａ）に示す前提条件の下で、受信機２０で利得制御を行わない場合において、伝搬路状況に応じて変動する受信機２０での受信電力を示している。図６（ｂ）に示すように、互いに異なる周波数ｆ１〜ｆ４を割当てられた各サブチャネルにより同一の送信電力Ｐ０で送信機１０から送信された信号は、伝搬路状況に応じて互いに異なる受信電力で受信機２０により受信される。すなわち、周波数応答性が相対的に高い周波数ｆ１、ｆ２を割当てられたサブチャネルの信号は、相対的に高い受信電力で受信され、周波数応答性が相対的に低い周波数ｆ３、ｆ４を割当てられたサブチャネルの信号は、相対的に低い受信電力で受信される。
【００２９】
図６（ｃ）は、図６（ａ）に示す前提条件の下で、受信機２０で利得制御が行われた場合の受信電力を示している。この場合、全てのサブチャネルの信号を含む周波数合波された信号の受信電力に基づいて利得制御が行われる。このため、図６（ｃ）に示すように、相対的に高い受信電力で受信されたサブチャネルの信号による影響を受けてしまい、相対的に低い受信電力で受信されたサブチャネルの信号に対する利得制御が不適切（不十分）に行われる。結果として、マルチチャネル伝送におけるデータ伝送特性の劣化が生じてしまう。
【００３０】
つぎに、本発明の実施形態に係る無線通信装置について説明する。図１は、本発明の実施形態に係るマルチチャネル伝送用無線通信システムを示す機能構成図である。
【００３１】
図１に示すように、本実施形態に係る無線通信システムは、従来の無線通信システムと同様に、送信側の通信装置および受信側の通信装置を含んで構成される。そして、送信側の通信装置は、従来の無線通信システムと同様な機能構成を有する送信機１１０を含んで構成される。一方、受信側の送信装置は、従来の無線通信システムと異なる機能構成を有する受信機１２０を含んで構成される。
【００３２】
以下では、本実施形態に係る無線通信装置に特徴的な受信機１２０の機能構成について説明する。なお、送信機１１０の機能構成、および受信機１２０の機能構成のうち従来の受信機２０と共通する機能構成の説明については省略する。
【００３３】
受信機１２０は、アンテナ部１２１、無線周波数（ＲＦ）復調部１２２、周波数分波部１２３、自動利得制御（ＡＧＣ）部１２４ａ〜１２４ｄ、直交復調部１２５ａ〜１２５ｄ、ベースバンド復調部１２６ａ〜１２６ｄ、および並列／直列変換部１２７を含んで構成される。ここで、ＡＧＣ部１２４ａ〜１２４ｄ、直交復調部１２５ａ〜１２５ｄ、およびベースバンド復調部１２６ａ〜１２６ｄは、サブチャネルに相当する数で、各サブチャネルに対応するように並列して設けられる。
【００３４】
ＲＦ復調部１２２は、アンテナ部１２１から入力され、各サブチャネルに対応する信号が周波数合波された送信信号を復調し、周波数分波部１２３に出力する。周波数分波部１２３は、受信された信号を各サブチャネルに割当てられた周波数ｆ１〜ｆ４の信号に分波し、各サブチャネルに対応するＡＧＣ部１２４ａ〜１２４ｄに出力する。ＡＧＣ部１２４ａ〜１２４ｄは、各サブチャネルに対応する周波数分波された信号に対して利得制御を行い、各サブチャネルに対応する直交復調部１２５ａ〜１２５ｄに出力する。直交復調部１２５ａ〜１２５ｄは、各サブチャネルに対応する利得制御された信号を直交復調し、各サブチャネルに対応するベースバンド復調部１２６ａ〜１２６ｄに出力する。ベースバンド復調部１２６ａ〜１２６ｄは、各サブチャネルに対応する信号をデータ列に復調し、並列／直列変換部１２７に出力する。並列／直列変換部１２７は、各サブチャネルに対応する復調されたデータ列をベースバンド信号に変換し、上位層に供給する。
【００３５】
図２は、本実施形態に係る無線通信装置による利得制御の結果を示す説明図である。図２（ａ）は、以下の説明で用いる前提条件を示し、図２（ｂ）は、図２（ａ）に示す前提条件の下で、受信機１２０で利得制御を行わない場合において、伝搬路状況に応じて変動する受信機１２０での受信電力を示している。なお、図２（ａ）、（ｂ）については、前述した図６（ａ）、（ｂ）と同様であるので、詳細な説明は省略する。
【００３６】
図２（ｃ）は、図２（ａ）に示す前提条件の下で、受信機１２０で利得制御が行われた場合の受信電力を示している。この場合、図６（ｃ）に示した場合と異なり、各サブチャネル、つまり周波数分波された各サブチャネルの信号の受信電力に基づいて利得制御が行われる。このため、図２（ｃ）に示すように、相対的に高い受信電力で受信されたサブチャネルの信号による影響を受けることなしに、相対的に低い受信電力で受信されたサブチャネルの信号に対する利得制御が適切に行われる。結果として、マルチチャネル伝送におけるデータ伝送特性の劣化を解消することができる。
【００３７】
図３は、受信機に設けられるＡＧＣ部の第１の実施形態を示す機能構成図である。図３に示すように、受信機１２０に設けられたＡＧＣ部１３０（図１のＡＧＣ部１２４に相当する。）は、可変利得増幅部１３２および制御電圧生成部１３４からなる。
【００３８】
ＡＧＣ部１３０では、可変利得増幅部１３２により各サブチャネルの信号が所定のレベルに増幅され、ＡＧＣ出力信号として受信回路に出力される。また、増幅された各サブチャネルの信号に基づいて各サブチャネルの信号を所定のレベルに利得制御するための制御電圧が制御電圧生成部１３４により生成され、可変利得増幅部１３２に供給される。ここで、制御電圧生成部１３４は、利得制御された各サブチャネルの信号の受信電力と、所定のレベルとを一定の時間毎に比較して利得制御電圧を生成する。
【００３９】
図３に示すように、ＡＧＣ部１３０がフィードバック回路を含んで構成されるので、受信信号が所定のレベルに収束するまでには一定の時間を要する。このことは、伝搬路状況が変動する通信環境において、連続通信を行う場合には、ある頻度で通信特性の劣化が生じることを意味する。また、伝搬路状況の変動が非常に早い場合には、ＡＧＣ部１３０のフィードバック回路による処理速度が伝搬路状況の変動に追従できなくなり、利得制御が適切に行われなくなる可能性もある。特に、マルチチャネル伝送では、伝搬路状況の変動が各サブチャネルの周波数に応じて異なるので、利得制御を適切に行うことが困難となるという問題がある。
【００４０】
このため、移動局と基地局との間で通信を行う移動通信システムにおいて、移動局の移動経路が定められている場合には、移動局と基地局との間における電波の伝搬路状況を予め測定しておき、移動局の位置に基づいて電波の伝搬路状況をリアルタイムで予測することにより、利得制御を適切に行うことが考えられる。
【００４１】
図４は、前述した問題を解消するために、受信機に設けられるＡＧＣ部の第２の実施形態を示す機能構成図である。図４に示すように、受信機１２０に設けられたＡＧＣ部１４０（図１のＡＧＣ部１２４に相当する。）は、可変利得増幅部１４２、電力変動記憶部１４４、受信電力予測部１４６、および制御電圧生成部１４８からなる。
【００４２】
可変利得増幅部１４２は、各サブチャネルの信号を所定のレベルに増幅する。電力変動記憶部１４４は、移動経路に沿って予め測定された各サブチャネルの信号の受信電力を表す変動パターンを予測パターンとして記憶している。ここで、予測パターンとして記憶される変動パターンは、受信電力の時間変動でもよく、移動局の位置変化に対応する変動でもよい。受信電力予測部１４６は、増幅された各サブチャネルの信号と予測パターンとを比較し、次の時刻での各サブチャネルの信号の受信電力を予測する。制御電圧生成部１４８は、予測された各サブチャネルの信号の受信電力に基づいて各サブチャネルの信号を所定のレベルに増幅するための制御電圧を生成し、可変利得増幅部１４２に供給する。
【００４３】
受信電力予測部１４６は、移動局の移動時に実際に測定される各サブチャネルの信号の受信電力を表す変動パターンと、予め記憶されている予測パターンとをパターンマッチングなどの処理を通じて比較する。ここで、パターンマッチングでは、例えば、ＧＰＳ装置、速度装置などから得られる移動局の位置情報が参照されてもよい。そして、受信電力予測部１４６は、ある時刻で実際に測定される各サブチャネルの信号の受信電力が予測パターン上において、どの部分（時間的、位置的）に相当するかを特定する。そして、予測パターンに基づいて次の時刻での各サブチャネルの信号の受信電力を予測する。制御電圧生成部１４８は、予測された各サブチャネルの信号の受信電力と所定のレベルとを比較し、次の時刻での各サブチャネルの信号を所定のレベルに増幅するための制御電圧を生成し、可変利得制御部１４２に供給する。
【００４４】
これにより、各サブチャネルの信号の受信電力が予測され、可変利得増幅器１４２の利得が早い段階で決定可能となるので、各サブチャネルの信号に対する利得制御を正確に行うことができる。
【００４５】
以上、本発明の実施形態に係る無線通信システムについて説明した。本実施形態に係る無線通信システムによれば、各サブチャネルの信号が周波数合波されて送信された信号が受信されて復調され、各サブチャネルの信号に周波数分波された上で、各サブチャネルの信号に対して利得制御が行われる。これにより、サブチャネル毎に電波の伝搬路状況が異なる場合でも、各サブチャネルの信号に対して利得制御が行われるので、受信信号に対して利得制御を適切に行うことができる。
【００４６】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００４７】
【図１】本発明の実施形態に係るマルチチャネル伝送用無線通信システムを示す機能構成図である。
【図２】本実施形態に係る無線通信装置による利得制御の結果を示す説明図である。
【図３】第１の実施形態に係る自動利得制御部を示す機能構成図である。
【図４】第２の実施形態に係る自動利得制御部を示す機能構成図である。
【図５】従来の無線通信装置による利得制御の結果を示す説明図である。
【図６】自動利得制御部を適用した従来のマルチチャネル伝送用無線通信システムを示す機能構成図である。
【符号の説明】
【００４８】
１０、１１０    送信機
２０、１２０    受信機
２１、１２１    アンテナ部
２２、１２２    無線周波数（ＲＦ）復調部
２３、１２３    周波数合波部
２４、１２４、１３０、１４０    自動利得制御部（ＡＧＣ）部
２５、１２５    直交復調部
２６、１２６    ベースバンド復調部
２７、１２７    並列／直列変換部
【図１】
0004930348.tif 000002
【図２】
0004930348.tif 000003
【図３】
0004930348.tif 000004
【図４】
0004930348.tif 000005
【図５】
0004930348.tif 000006
【図６】
0004930348.tif 000007